(57)【要約】      （修正有）【課題】優れた安全性をもたらす、ボタン電池用ブリスタ・パックを提供する。【解決手段】ブリスタ・パック１は、ブリスタ・フォイル４を備え、ブリスタ・フォイル４は、少なくとも１つのボタン電池を受け入れる少なくとも１つの筐体を形成するように設計し、基体２と一体である。ブリスタ・パック１は、基体２とブリスタ・フォイル４との間に補強フォイル６を備え、補強フォイル６は、ＡＳＴＭ  Ｄ８８２基準による１，２００ｋｇ／ｃｍ2から３，１００ｋｇ／ｃｍ2の間の引張り強さを有する。【選択図】図１
0003208415.tif 000002
【実用新案登録請求の範囲】
【請求項１】
ブリスタ・フォイル（４）を備えるボタン電池用ブリスタ・パック（１）であって、前記ブリスタ・フォイル（４）は、少なくとも１つのボタン電池を受け入れる少なくとも１つの筐体を形成するように設計し、基体（２）と一体である、ブリスタ・パック（１）において、前記ブリスタ・パック（１）は、前記基体（２）と前記ブリスタ・フォイル（４）との間に補強フォイル（６）を備え、前記補強フォイル（６）は、ＡＳＴＭ  Ｄ８８２基準による１，２００ｋｇ／ｃｍ2から３，１００ｋｇ／ｃｍ2の間の引張り強さを有することを特徴とする、ブリスタ・パック（１）。
【請求項２】
前記補強フォイル（６）は、前記基体（２）の外側縁部を少なくとも覆い、好ましくは前記基体（２）の表面全部を実質的に覆うことを特徴とする、請求項１に記載のブリスタ・パック。
【請求項３】
前記補強フォイル（６）は、ポリエチレンテレフタレート、ポリエチレン、ポリ塩化ビニルを含む群から選択される材料で製造することを特徴とする、請求項１又は２に記載のブリスタ・パック。
【請求項４】
前記ブリスタ・パック（１）は、前記基体（２）と前記補強フォイル（６）との間に接着剤層（９）を含み、前記補強フォイル（６）と前記ブリスタ・フォイル（４）との間に封止コーティング（１０）を含むことを特徴とする、請求項１から３のうちいずれか一項に記載のブリスタ・パック。
【請求項５】
前記基体（２）は、少なくとも前記ブリスタ・フォイル（４）の側に印刷を含むこと、及び前記補強フォイル（６）は透明であることを特徴とする、請求項１から４のうちいずれか一項に記載のブリスタ・パック。
【請求項６】
前記基体（２）は、前記ブリスタ・フォイル（４）の側が中間色であること、及び前記補強フォイル（６）は印刷を含むことを特徴とする、請求項１から４のうちいずれか一項に記載のブリスタ・パック。
【請求項７】
前記基体（２）は、厚さが２００μｍから５００μｍの間のカード・フォイルであることを特徴とする、請求項１から６のうちいずれか一項に記載のブリスタ・パック。
【請求項８】
前記基体（２）及び前記補強フォイル（６）は、対向して、前記筐体内に開口する少なくとも１つの通気開口（８）を有することを特徴とする、請求項１から７のうちいずれか一項に記載のブリスタ・パック。
【請求項９】
前記開口（８）は、円形形状であることを特徴とする、請求項８に記載のブリスタ・パック。
【請求項１０】
前記開口（８）は、１ｍｍから６ｍｍの間の直径を有することを特徴とする、請求項９に記載のブリスタ・パック。
【考案の詳細な説明】
【技術分野】
【０００１】
本考案は、ボタン電池用ブリスタ型パックに関し、このブリスタ型パックは、ブリスタ・フォイルを備え、ブリスタ・フォイルは、少なくとも１つのボタン電池を受け入れる少なくとも１つの筐体を形成するように設計し、基体と一体である。
【背景技術】
【０００２】
ボタン電池をブリスタ・パック内に入れて販売するという提案は、公知である。そのようなパックは、基本的に、透明なフォイルと１つの面を介して一体である基体からなり、この透明なフォイルは、熱形成プラスチック材料から作製し、ボタン電池を受け入れる筐体を形成するようにする。基体の前面及び裏面は、一般に、ブランドに関する情報、製品使用条件に対する言及等のテキスト、及び更にいくつかの言語で記載した安全に関するテキスト又は好ましくは安全に関する標準のピクトグラムを含む。
【０００３】
いくつかの実施形態では、基体は、ブリスタを閉鎖する可撓性フォイルとすることができる。電池は、剥離により可撓性フォイルをブリスタから分離することよって手にすることが可能である。この可撓性フォイルは、ブリスタから容易に分離されるように設計されているため、子供が可撓性フォイルを単に引っ張るだけでボタン電池を手にすることができ、ボタン電池を飲み込む危険性がある。更に、組立体を十分に強固にするためには、ブリスタは一般に、側部に補強リブを有する。このため、パックは厚さを有し、パックを積み重ねる際にパックの間に避けがたい場所を残すため、場所を無駄に取る。
【０００４】
他の実施形態では、基体は、カード形状を有することもでき、このカードは、ボタン電池筐体のレベルで開口を有し、開口の周りに、例えば十字を形成する、事前に切断した脆弱な線を設ける。カードは、ボタン電池をその筐体から取出し可能にするために、こうした脆弱な線のレベルで押圧することによって押し込まなければならない。この作業は、子供が容易に達成することができ、子供がボタン電池を手にし、ボタン電池を飲み込む危険性を伴う。更に、カードは、容易に引き裂くことができるという欠点を有する材料である。具体的には、ブリスタがカード表面の中心部のみを占めている場合、カードの外側縁部は、子供であっても簡単に引き裂くことができるため、ボタン電池を誤って手にする原因となり得る。
【考案の概要】
【考案が解決しようとする課題】
【０００５】
したがって、より優れた安全性をもたらし、特に子供が誤って開封しないようにする、新たなボタン電池用ブリスタ・パックを提案する必要がある。
【課題を解決するための手段】
【０００６】
この目的で、本考案は、ボタン電池用ブリスタ型パックに関し、このブリスタ型パックは、ブリスタ・フォイルを備え、ブリスタ・フォイルは、少なくとも１つのボタン電池を受け入れる少なくとも１つの筐体を形成するように設計し、基体と一体である。
【０００７】
本考案によれば、ブリスタ・パックは、基体とブリスタ・フォイルとの間に補強フォイルを備え、補強フォイルは、ＡＳＴＭ  Ｄ８８２基準による１，２００ｋｇ／ｃｍ2から３，１００ｋｇ／ｃｍ2の間の引張り強さを有する。
【０００８】
有利には、補強フォイルは、基体の外側縁部を少なくとも覆い、好ましくは基体の表面全部を実質的に覆う。
【０００９】
いくつかの実施形態では、基体は、少なくともブリスタ・フォイルの側に印刷を含むことができ、補強フォイルは透明であるか、又は基体は、ブリスタ・フォイルの側が中間色であり、補強フォイルは、印刷を有する。
【００１０】
基体及び補強フォイルは、対向して、筐体内で開口する開口を有することができ、前記開口は、好ましくは円形形状を有する。
【００１１】
したがって、本考案によるブリスタ・パックは、多大な安定性を有するため、特に子供がパックを単に押圧する又はパックをもてあそぶことによってボタン電池を手にすることが不可能になる。はさみ等の器具の使用によってのみ、ブリスタ・パックを破壊し、ボタン電池の筐体内に手を入れることが可能になる。更に、ブリスタ・パックは、補強リブを必要としないほど十分に強固であり、このため、ブリスタ・パックは平坦である。このために、本考案によるブリスタ・パックは、場所を無駄にせずに積み重ねることができる。
【００１２】
本考案の目的、利点及び特徴は、本考案の少なくとも１つの実施形態の以下の詳細な説明においてより明らかになるであろう。少なくとも１つの実施形態は、単なる例として非限定的に示し、添付の図面に示す。
【図面の簡単な説明】
【００１３】
【図１】本考案によるブリスタ・パックの概略分解図である。
【図２】本考案によるブリスタ・パックの上からの図である。
【考案を実施するための形態】
【００１４】
図１を参照すると、ブリスタ・パック１は、基体２を備え、基体２は、その前面２ａ側上でブリスタ・フォイル４と称する透明フォイルと一体であり、ブリスタ・フォイル４は、熱形成プラスチック材料から作製し、少なくとも１つのボタン電池を受け入れる筐体を形成するカップを形成するようにする。基体２は、好ましくはカードから作製する。カードは、有利には、厚さが２００μｍから５００μｍの間、好ましくは２５０μｍから４００μｍの間のカード・フォイルである。カードは、好ましくは、１５０ｇ／ｍ2から６００ｇ／ｍ2の間の重量、より好ましくは３００ｇ／ｍ2から４００ｇ／ｍ2の間の重量を有する。基体２の裏面２ｂは、一般に、ブランドに関する情報、製品使用条件に対する言及、バーコード等のテキスト、及び更にはいくつかの言語で記載した安全に関するテキスト又は好ましくは安全に関する標準のピクトグラムを含む。基体２の前面２ａは、ブリスタ・フィルム４側において中間色とすることができ、テキストが一切なくても、又はブランド若しくは製品に対する言及等のテキストを含んでいてもよい。基体２は、ブリスタ・パックを表示ユニット上に吊るすことを可能にする切欠き５を有する。ブリスタ・フォイル４は、好ましくは、熱成形可能なポリエチレンテレフタレートから作製され、例えば２００μｍから３００μｍの間の厚さを有する。
【００１５】
本考案によれば、基体２とブリスタ・フォイル４との間に、補強フォイル６を設け、補強フォイル６は、ＡＳＴＭ  Ｄ８８２基準による１，２００ｋｇ／ｃｍ2から３，１００ｋｇ／ｃｍ2の間、好ましくは１，８００ｋｇ／ｃｍ2から２，５００ｋｇ／ｃｍ2の間の引張り強さを有する。
【００１６】
有利には、補強フォイル６は、ＡＳＴＭ  Ｄ８８２基準による１００％から１７０％の間、好ましくは１２０％から１５０％の間の破断点伸びも有する。
【００１７】
第１の実施形態によれば、補強フォイル６は、基体２の外側縁部を少なくとも覆い、パックが外側縁部を介して引き裂かれないようにする。別の好ましい実施形態によれば、補強フォイル６は、補強フォイル６が基体２の表面全部を実質的に覆うように基体と同じ寸法を有し、基体２の外側縁部を少なくとも覆い、且つ以下で説明するように、開口部８及び切欠き５の周囲も覆うようにする。
【００１８】
好ましくは、補強フォイル６は、ポリエチレンテレフタレート、Ｔｙｖｅｋ（登録商標）等のポリエチレン、及びポリ塩化ビニルを含む群から選択される材料で製造する。
【００１９】
特に好ましい様式では、補強フォイル６は、二軸延伸を受けたポリエチレンテレフタレートである。好ましくは、補強フォイル６には光沢がある。補強フォイル６は、基体２の前面２ａが印刷を含む場合に透明とすることができるか、又は基体２の前面２ａが無彩色である場合に印刷を含む。
【００２０】
補強フォイル６は、好ましくは１５μｍから５０μｍの間、好ましくは２０μｍから３０μｍの間の厚さを有する。
【００２１】
補強フォイル６の基体２の前面２ａ上への固定を保証するため、接着層９を基体２と補強フォイル６との間に設ける。この接着剤は、標準的な様式で使用し当業者には公知である、分散性接着剤等の標準的な接着剤である。接着剤層９は、３μｍから７μｍの間の厚さを有することができる。補強フォイル６の基体２への接着を向上させるために、基体２に面する補強フォイル６の面は、コロナ型表面処理を受けていてもよい。
【００２２】
ブリスタ・フォイル４の補強フォイル６上への固定を保証するため、封止コーティング１０を補強フォイル６とブリスタ・フォイル４との間に設ける。この封止コーティングは、好ましくは、当業者には公知であり熱溶接で使用される、標準の熱活性封止コーティングである。封止コーティング１０は、２μｍから５μｍの間の厚さを有することができる。ブリスタ・フォイル４は、１５０℃から３００℃の間の温度で、熱溶接による接触表面によって標準的な様式で補強フォイル６上に固定することができる。当然ながら、あらゆる他の十分な組立て技法を使用することができる。
【００２３】
ブリスタ・フォイル４を熱溶接する間、熱の放散を可能にし、圧力及び水分両方の補償のために空気を流すことも可能にするために、基体２及び補強フォイル６は、対向して、少なくとも１つの通気開口８を有し、少なくとも１つの通気開口８は、ブリスタ・フォイル４によって形成した筐体内で開口する。開口８は、有利には、脆弱な区域がないように円形形状を有する。開口は、好ましくは、１ｍｍから６ｍｍの間の寸法、より詳細には直径を有する。開口８の周りに事前に切断した切れ目は設けず、開口８の外形は、補強フォイル６によって更に強化する。したがって、開口８のレベルでパックを引き裂くことも、ブリスタ・パックを単に押圧することによってボタン電池を取り出すことも可能ではない。
【００２４】
本考案によるブリスタ・パックは、多大な安定性を有し、外側縁部及び開口８の両方を介したあらゆる引き裂きを防止する。したがって、単純な操作によってボタン電池をボタン電池のパックから取り出すことは可能ではない。ブリスタ・パックを破壊し、ボタン電池を手にするためには、はさみ等の器具が必要となる。したがって、本考案によるブリスタ・パックは、特に子供によるあらゆる偶発的な開封に対して特に安全である。更に、本考案によるブリスタ・パックは、ブリスタ・パックを強化リブによって補強する必要がないほど十分に強固である。このために、本考案によるブリスタ・パックの基体は、平坦であるため、場所を無駄にせずに本考案によるブリスタ・パックを積重ね可能にする。
【符号の説明】
【００２５】
１  ブリスタ・パック
２  基体
４  ブリスタ・フォイル
６  補強フォイル
８  通気開口
９  接着剤層
１０  封止コーティング
【図１】
0003208415.tif 000003
【図２】
0003208415.tif 000004
【手続補正書】
【提出日】平成28年10月13日(2016.10.13)
【手続補正１】
【補正対象書類名】実用新案登録請求の範囲
【補正対象項目名】全文
【補正方法】変更
【補正の内容】
【実用新案登録請求の範囲】
【請求項１】
ブリスタ・フォイル（４）を備えるボタン電池用ブリスタ・パック（１）であって、前記ブリスタ・フォイル（４）は、少なくとも１つのボタン電池を受け入れる少なくとも１つの筐体を形成するように設計し、基体（２）と一体である、ブリスタ・パック（１）において、前記ブリスタ・パック（１）は、前記基体（２）と前記ブリスタ・フォイル（４）との間に補強フォイル（６）を備え、前記補強フォイル（６）は、ＡＳＴＭ  Ｄ８８２基準による１，２００ｋｇ／ｃｍ2から３，１００ｋｇ／ｃｍ2の間の引張り強さを有することを特徴とする、ブリスタ・パック（１）。
【請求項２】
前記補強フォイル（６）は、前記基体（２）の外側縁部を少なくとも覆うことを特徴とする、請求項１に記載のブリスタ・パック。
【請求項３】
前記補強フォイル（６）は、ポリエチレンテレフタレート、ポリエチレン、ポリ塩化ビニルを含む群から選択される材料で製造することを特徴とする、請求項１又は２に記載のブリスタ・パック。
【請求項４】
前記ブリスタ・パック（１）は、前記基体（２）と前記補強フォイル（６）との間に接着剤層（９）を含み、前記補強フォイル（６）と前記ブリスタ・フォイル（４）との間に封止コーティング（１０）を含むことを特徴とする、請求項１から３のうちいずれか一項に記載のブリスタ・パック。
【請求項５】
前記基体（２）は、少なくとも前記ブリスタ・フォイル（４）の側に印刷を含むこと、及び前記補強フォイル（６）は透明であることを特徴とする、請求項１から４のうちいずれか一項に記載のブリスタ・パック。
【請求項６】
前記基体（２）は、前記ブリスタ・フォイル（４）の側が中間色であること、及び前記補強フォイル（６）は印刷を含むことを特徴とする、請求項１から４のうちいずれか一項に記載のブリスタ・パック。
【請求項７】
前記基体（２）は、厚さが２００μｍから５００μｍの間のカード・フォイルであることを特徴とする、請求項１から６のうちいずれか一項に記載のブリスタ・パック。
【請求項８】
前記基体（２）及び前記補強フォイル（６）は、対向して、前記筐体内に開口する少なくとも１つの通気開口（８）を有することを特徴とする、請求項１から７のうちいずれか一項に記載のブリスタ・パック。
【請求項９】
前記開口（８）は、円形形状であることを特徴とする、請求項８に記載のブリスタ・パック。
【請求項１０】
前記開口（８）は、１ｍｍから６ｍｍの間の直径を有することを特徴とする、請求項９に記載のブリスタ・パック。
【請求項１１】
前記補強フォイル（６）は、前記基体（２）の表面全部を実質的に覆うことを特徴とする、請求項１に記載のブリスタ・パック。